(57)【要約】      （修正有）【課題】印刷対象物の宛名面に適切に宛名を印刷する。【解決手段】画像処理サーバにおいて、ハガキの宛名面１００の第１スキャンデータと、宛名面に印刷予定の宛名が記載された原稿の第２スキャンデータとが取得される。さらに、第１スキャンデータから、宛名面に宛名を印刷することが可能な印刷可能領域１２０，１２２，１２４，１２６，１２８，１３０が特定され、第２スキャンデータから、原稿に記載された宛名の宛名情報が抽出される。そして、記載可能領域内に、抽出された宛名情報に基づく宛名を印刷するための画像データを、抽出された宛名情報に基づいて作成する。これにより、イラスト等が記されたハガキの宛名面であっても、適切に宛名を印刷することが可能となる。【選択図】図５
2015179927.tif 000002
【特許請求の範囲】
【請求項１】
プロセッサを備える情報処理装置であって、
前記プロセッサは、
宛名の印刷対象物の宛名面のスキャン情報である第１スキャン情報を取得する第１スキャン情報取得手段と、
前記印刷対象物の宛名面に印刷予定の宛名が記載された原稿のスキャン情報である第２スキャン情報を取得する第２スキャン情報取得手段と、
取得された前記第１スキャン情報に基づいて、前記印刷対象物の宛名面内の領域のうち、宛名を記載することが可能な領域である記載可能領域を特定する、領域特定手段と、
取得された前記第２スキャン情報から前記原稿に記載された宛名の画像情報である宛名情報を抽出する抽出手段と、
前記領域特定手段によって特定された前記記載可能領域内に、前記抽出手段によって抽出された前記宛名情報に基づく宛名を印刷するための画像情報を、前記抽出手段によって抽出された前記宛名情報に基づいて作成する第１画像情報作成手段と、
前記第１画像情報作成手段によって作成された前記画像情報を外部装置へ送信させる第１画像情報送信手段と、
して機能することが可能であることを特徴とする情報処理装置。
【請求項２】
前記領域特定手段は、
取得された前記第１スキャン情報に基づいて、前記宛名面内の領域のうち、宛名を記載するための領域を示唆する画像である示唆画像が配置されている位置である示唆位置を特定し、特定した示唆位置に基づいて、前記記載可能領域を特定することを特徴とする請求項１に記載の情報処理装置。
【請求項３】
前記領域特定手段は、
取得された前記第１スキャン情報に基づいて、前記宛名面内の領域のうち、宛名を記載するための領域を示唆する画像である示唆画像以外の画像が配置されている領域を、前記宛名を記載することが不可能な領域である記載不可能領域として特定し、
前記第１画像情報作成手段は、
前記領域特定手段によって特定された前記記載不可能領域ではない領域である前記記載可能領域内に、前記抽出手段によって抽出された前記宛名情報に基づく宛名を印刷するための前記画像情報を前記抽出手段によって抽出された前記宛名情報に基づいて作成することを特徴とする請求項１または２に記載の情報処理装置。
【請求項４】
前記第１画像情報作成手段は、
複数の手法を用いて、前記領域特定手段によって特定された前記記載可能領域内に、前記抽出手段によって抽出された前記宛名情報に基づく宛名を印刷するための画像情報を、前記抽出手段によって抽出された前記宛名情報に基づいて作成することが可能であり、
前記第１画像情報送信手段は、
前記複数の手法のうち第１の手法を用いて前記第１画像情報作成手段が作成した画像情報を前記外部装置に送信させた後に、当該画像情報の修正を指示する指示情報を当該外部装置から受信したことに応じて、前記第１画像情報作成手段が作成可能な複数の画像情報のうち、受信した指示情報に対応する第２の手法を用いて作成された画像情報を、前記指示情報の送信元の外部装置へ送信させることを特徴とする請求項１ないし３のいずれか１項に記載の情報処理装置。
【請求項５】
前記第１画像情報作成手段は、
複数の手法それぞれを用いて、前記領域特定手段によって特定された前記記載可能領域内に、前記抽出手段によって抽出された前記宛名情報に基づく宛名を印刷するための複数の画像情報を、前記抽出手段によって抽出された前記宛名情報に基づいて作成することが可能であり、
前記プロセッサは、
前記複数の手法それぞれを用いて作成される前記複数の画像情報のサンプル画像を出力するための複数のサンプル画像情報を、前記抽出手段によって抽出された前記宛名情報に基づいて作成するサンプル画像情報作成手段と、
前記サンプル画像情報作成手段によって作成された複数のサンプル画像情報を外部装置に送信するサンプル画像情報送信手段と、
して機能することが可能であり、
前記第１画像情報送信手段は、
前記サンプル画像情報送信手段が送信した前記複数のサンプル画像情報のなかから選択されたサンプル画像情報を特定する特定情報を、前記複数のサンプル画像情報の送信先の外部装置から受信したことに応じて、前記印刷するための複数の画像情報のうち、前記特定情報によって特定されるサンプル画像情報に対応する画像情報を、前記特定情報の送信元の外部装置に送信させることを特徴とする請求項１ないし４のいずれか１項に記載の情報処理装置。
【請求項６】
前記サンプル画像情報作成手段は、
取得された前記第１スキャン情報と、前記抽出手段によって抽出された前記宛名情報と、に基づいて、前記宛名が印刷される印刷対象物の宛名面と、前記宛名と、が合成された前記サンプル画像を出力するための画像情報である前記サンプル画像情報を作成することを特徴とする請求項５に記載の情報処理装置。
【請求項７】
前記サンプル画像情報送信手段は、
前記複数の手法のうち第１の手法を用いて前記第１画像情報作成手段が作成した画像情報を前記外部装置に送信させた後に、当該画像情報の修正を指示する指示情報を当該外部装置から受信したことに応じて、前記サンプル画像情報作成手段によって作成された複数のサンプル画像情報を外部装置に送信させることを特徴とする請求項５または６に記載の情報処理装置。
【請求項８】
プロセッサを備える情報処理装置であって、
前記プロセッサは、
宛名の印刷対象物の宛名面のスキャン情報を取得する第１スキャン情報取得手段と、
取得された前記第１スキャン情報に基づいて、前記印刷対象物の宛名面内の領域のうち、宛名を記載することが可能な領域である記載可能領域を特定する、領域特定手段と、
前記印刷対象物の宛名面に印刷予定の宛名を記載するための記載用原稿であって、前記領域特定手段によって特定された前記記載可能領域を示唆する可能領域画像を含む記載用原稿を印刷するための画像情報を作成する第１画像情報作成手段と、
前記第１画像情報作成手段によって作成された前記画像情報を外部装置に送信する第１画像情報送信手段と、
して機能することが可能であることを特徴とする情報処理装置。
【請求項９】
前記領域特定手段は、
取得された前記第１スキャン情報に基づいて、前記宛名面内の領域のうち、宛名を記載するための領域を示唆する画像である示唆画像が配置されている位置である示唆位置を特定し、特定した示唆位置に基づいて、前記記載可能領域を特定することを特徴とする請求項８に記載の情報処理装置。
【請求項１０】
前記領域特定手段は、
取得された前記第１スキャン情報に基づいて、前記宛名面内の領域のうち、宛名を記載するための領域を示唆する画像である示唆画像以外の画像が配置されている領域を、前記宛名を記載することが不可能な領域である記載不可能領域として特定し、
前記第１画像情報作成手段は、
前記領域特定手段によって特定された前記記載不可能領域ではない領域である前記記載可能領域を示唆する可能領域画像と、前記領域特定手段によって特定された前記記載不可能領域を示唆する不可能領域画像と、を含む前記記載用原稿を印刷するための画像情報を作成することを特徴とする請求項８または９に記載の情報処理装置。
【請求項１１】
前記第１画像情報作成手段は、
取得された前記第１スキャン情報に基づいて、前記宛名が印刷される印刷対象物の宛名面と、前記可能領域画像と、が合成された前記記載用原稿を出力するための画像情報を作成することを特徴とする請求項８ないし１０の何れか１項に記載の情報処理装置。
【請求項１２】
前記第１画像情報送信手段によって送信された画像情報に基づいて印刷された前記記載用原稿であって、前記印刷対象物の宛名面に印刷予定の宛名が記載された前記記載用原稿のスキャン情報を取得する第２スキャン情報取得手段と、
前記第２スキャン情報取得手段によって取得されたスキャン情報から、前記可能領域画像により示唆される領域内に記載された宛名の画像情報である宛名情報を抽出する抽出手段と、
前記領域特定手段によって特定された前記記載可能領域内に、前記抽出手段によって抽出された前記宛名情報に基づく宛名を印刷するための画像情報を、前記抽出手段によって抽出された前記宛名情報に基づいて作成する第２画像情報作成手段と、
して機能することが可能であることを特徴とする請求項８ないし１１の何れか１項に記載の情報処理装置。
【請求項１３】
第１プロセッサを有し、スキャン処理と印刷処理とを実行可能な複合装置と、
第２プロセッサを備える情報処理装置と、
を備え、前記複合装置と前記情報処理装置とが通信可能な通信システムであって、
第１プロセッサは、
宛名の印刷対象物の宛名面のスキャン処理により、第１スキャン情報を作成する第１スキャン情報作成手段と、
作成された第１スキャン情報を前記情報処理装置に送信する第１スキャン情報送信手段と、
前記印刷対象物の宛名面に印刷予定の宛名が記載された原稿のスキャン処理により、第２スキャン情報を作成する第２スキャン情報作成手段と、
作成された第２スキャン情報を前記情報処理装置に送信する第２スキャン情報送信手段と、
して機能することが可能であり、
前記第２プロセッサは、
前記第１スキャン情報送信手段によって送信された第１スキャン情報を受信する第１スキャン情報受信手段と、
前記第２スキャン情報送信手段によって送信された第２スキャン情報を受信する第２スキャン情報受信手段と、
受信された前記第１スキャン情報に基づいて、前記印刷対象物の宛名面内の領域のうち、宛名を記載することが可能な領域である記載可能領域を特定する、領域特定手段と、
受信された前記第２スキャン情報から前記原稿に記載された宛名の画像情報である宛名情報を抽出する抽出手段と、
前記領域特定手段によって特定された前記記載可能領域内に、前記抽出手段によって抽出された前記宛名情報に基づく宛名を印刷するための画像情報を、前記抽出手段によって抽出された前記宛名情報に基づいて作成する第１画像情報作成手段と、
前記第１画像情報作成手段によって作成された前記画像情報を、前記複合装置へ送信させる第１画像情報送信手段と、
して機能することが可能であり、
前記第１プロセッサは、
前記第１画像情報送信手段によって送信された前記画像情報を受信する画像情報受信手段と、
受信された前記画像情報に基づく印刷処理を実行する印刷処理実行手段と
して機能することが可能であることを特徴とする通信システム。
【請求項１４】
第１プロセッサを有し、スキャン処理と印刷処理とを実行可能な複合装置と、
第２プロセッサを備える情報処理装置と、
を備え、前記複合装置と前記情報処理装置とが通信可能な通信システムであって、
第１プロセッサは、
宛名の印刷対象物の宛名面のスキャン処理により、第１スキャン情報を作成する第１スキャン情報作成手段と、
作成された第１スキャン情報を前記情報処理装置に送信する第１スキャン情報送信手段と、
して機能することが可能であり、
前記第２プロセッサは、
前記第１スキャン情報送信手段によって送信された第１スキャン情報を受信する第１スキャン情報受信手段と、
受信された前記第１スキャン情報に基づいて、前記印刷対象物の宛名面内の領域のうち、宛名を記載することが可能な領域である記載可能領域を特定する、領域特定手段と、
前記印刷対象物の宛名面に印刷予定の宛名を記載するための記載用原稿であって、前記領域特定手段によって特定された前記記載可能領域を示唆する可能領域画像を含む記載用原稿を印刷するための画像情報を作成する第１画像情報作成手段と、
前記第１画像情報作成手段によって作成された前記画像情報を前記複合装置に送信する第１画像情報送信手段と、
前記第１プロセッサは、
前記第１画像情報送信手段によって送信された前記画像情報を受信する画像情報受信手段と、
受信された前記画像情報に基づく印刷処理を実行する印刷処理実行手段と
して機能することが可能であることを特徴とする通信システム。
【発明の詳細な説明】
【技術分野】
【０００１】
本発明は、スキャンデータを処理し、処理したスキャンデータを外部装置に送信可能な情報処理装置等に関する。
【背景技術】
【０００２】
プリンタとウェブサーバとを備えた通信システムにおいて、プリンタが、ウェブサーバから画像データを受信し、その画像データに基づいて印刷処理を実行する技術が、下記特許文献に記載されている。
【先行技術文献】
【特許文献】
【０００３】
【特許文献１】特開２００８−２２９９９３号公報
【発明の概要】
【発明が解決しようとする課題】
【０００４】
上記特許文献に記載の通信システムにおいて、例えば、ウェブサーバが、ハガキ等の配送物の宛名面に記載される宛先、差出元等の宛名を印刷するための画像データをプリンタに送信することで、ハガキの宛名面に、宛名を印刷することが可能となる。しかしながら、近年、宛名面にイラスト等が記されたハガキが存在しており、そのイラストが記されたハガキでは、イラストの配置等を考慮しなければ、宛名が、イラストに重なった状態で、ハガキの宛名面に印刷される虞がある。本発明は、そのような事情に鑑みてなされたものであり、イラスト等が記されたハガキの宛名面であっても、適切に宛名を印刷するための技術を提供する。
【課題を解決するための手段】
【０００５】
上記課題を解決するために、本明細書の実施形態として記載の情報処理装置は、プロセッサを備える情報処理装置であって、前記プロセッサは、宛名の印刷対象物の宛名面のスキャン情報である第１スキャン情報を取得する第１スキャン情報取得手段と、前記印刷対象物の宛名面に印刷予定の宛名が記載された原稿のスキャン情報である第２スキャン情報を取得する第２スキャン情報取得手段と、取得された前記第１スキャン情報に基づいて、前記印刷対象物の宛名面内の領域のうち、宛名を記載することが可能な領域である記載可能領域を特定する、領域特定手段と、取得された前記第２スキャン情報から前記原稿に記載された宛名の画像情報である宛名情報を抽出する抽出手段と、前記領域特定手段によって特定された前記記載可能領域内に、前記抽出手段によって抽出された前記宛名情報に基づく宛名を印刷するための画像情報を、前記抽出手段によって抽出された前記宛名情報に基づいて作成する第１画像情報作成手段と、前記第１画像情報作成手段によって作成された前記画像情報を外部装置へ送信させる第１画像情報送信手段と、して機能することが可能であることを特徴とする。
【０００６】
また、上記課題を解決するために、本明細書の実施形態として記載の情報処理装置は、プロセッサを備える情報処理装置であって、前記プロセッサは、宛名の印刷対象物の宛名面のスキャン情報を取得する第１スキャン情報取得手段と、取得された前記第１スキャン情報に基づいて、前記印刷対象物の宛名面内の領域のうち、宛名を記載することが可能な領域である記載可能領域を特定する、領域特定手段と、前記印刷対象物の宛名面に印刷予定の宛名を記載するための記載用原稿であって、前記領域特定手段によって特定された前記記載可能領域を示唆する可能領域画像を含む記載用原稿を印刷するための画像情報を作成する第１画像情報作成手段と、前記第１画像情報作成手段によって作成された前記画像情報を外部装置に送信する第１画像情報送信手段と、して機能することが可能であることを特徴とする。
【発明の効果】
【０００７】
本明細書の実施形態として記載の情報処理装置、及び通信システムでは、情報処理装置が、ハガキ等の印刷対象物の宛名面のスキャン情報である第１スキャン情報と、印刷対象物の宛名面に印刷予定の宛名が記載された原稿のスキャン情報である第２スキャン情報とを取得する。さらに、情報処理装置は、第１スキャン情報から、印刷対象物の宛名面に宛名を記載することが可能な記載可能領域を特定し、第２スキャン情報から、原稿に記載された宛名の画像情報である宛名情報を抽出する。そして、情報処理装置は、特定された記載可能領域内に、抽出された宛名情報に基づく宛名を印刷するための画像情報を、抽出された宛名情報に基づいて作成する。これにより、イラスト等が記されたハガキの宛名面であっても、適切に宛名を印刷することが可能となる。
【０００８】
また、本明細書の実施形態として記載の情報処理装置、及び通信システムでは、情報処理装置が、ハガキ等の印刷対象物の宛名面のスキャン情報である第１スキャン情報を取得し、第１スキャン情報から、印刷対象物の宛名面に宛名を記載することが可能な記載可能領域を特定する。そして、印刷対象物の宛名面に印刷予定の宛名を記載するための記載用原稿であって、特定された記載可能領域を示唆する可能領域画像を含む記載用原稿を印刷するための画像情報を作成する。これにより、宛名の記載された記載用原稿のスキャンデータを用いることで、イラスト等が記されたハガキの宛名面であっても、適切に宛名を印刷することが可能となる。
【０００９】
また、本明細書の実施形態として記載の情報処理装置では、第１スキャン情報から、宛名を記載するための領域を示唆する示唆画像が配置されている示唆位置を特定し、その示唆位置に基づいて、記載可能領域を特定することが可能である。これにより、記載可能領域を適切に特定することが可能となる。
【００１０】
また、本明細書の実施形態として記載の情報処理装置では、第１スキャン情報に基づいて、宛名を記載するための領域を示唆する示唆画像以外の画像が配置されている領域を、宛名を記載することが不可能な記載不可能領域として特定することが可能である。そして、記載不可能領域ではない領域である記載可能領域内に、抽出された宛名情報に基づく宛名を印刷するための画像情報を、作成することが可能である。また、記載不可能領域ではない領域である記載可能領域を示唆する可能領域画像と、記載不可能領域を示唆する不可能領域画像と、を含む記載用原稿を印刷するための画像情報を作成することが可能である。これにより、イラスト等の画像を避けて、適切に宛名を宛名面に印刷することが可能となる。
【００１１】
また、本明細書の実施形態として記載の情報処理装置では、複数の手法を用いて、記載可能領域内に宛名情報に基づく宛名を印刷するための画像情報を作成することが可能である。そして、複数の手法のうち第１の手法を用いて作成された画像情報が外部装置に送信させた後に、その外部装置から修正指示を受信した場合に、複数の手法を用いて作成可能な複数の画像情報のうち、第２の手法を用いて作成された画像情報を外部装置へ送信することが可能である。これにより、宛名の印刷位置等をユーザが好まない場合に、宛名の印刷位置等を変更することが可能となる。
【００１２】
また、本明細書の実施形態として記載の情報処理装置では、複数の手法を用いて、記載可能領域内に宛名情報に基づく宛名を印刷するための画像情報を作成することが可能である。そして、それら複数の手法それぞれを用いて作成される複数の画像情報のサンプル画像を出力するための複数のサンプル画像情報を作成し、それら複数のサンプル画像情報を外部装置に送信することが可能である。さらに、送信された複数のサンプル画像情報のなかから選択されたサンプル画像情報を特定する特定情報を、外部装置から受信した場合に、特定情報によって特定されるサンプル画像情報に対応する印刷用の画像情報を外部装置に送信することが可能である。これにより、印刷対象物に宛名を印刷する前に、パネル等で宛名の印刷位置等を確認することが可能となる。
【００１３】
また、本明細書の実施形態として記載の情報処理装置では、第１スキャン情報と、抽出された宛名情報とに基づいて、宛名が印刷される印刷対象物の宛名面と、宛名とが合成されたサンプル画像情報を作成することが可能である。これにより、宛名が印刷された状態のハガキを、パネル等に表示することが可能となり、ユーザは、宛名の印刷位置等を適切に確認することが可能となる。
【００１４】
また、本明細書の実施形態として記載の情報処理装置では、複数の手法のうち第１の手法を用いて画像情報を外部装置に送信させた後に、その外部装置から修正指示を受信した場合に、複数のサンプル画像情報を外部装置に送信することが可能である。これにより、ユーザが宛名の印刷位置等を好まない場合に、複数のサンプル画像の中から任意の画像を選択することが可能となる。
【００１５】
また、本明細書の実施形態として記載の情報処理装置では、第１スキャン情報に基づいて、宛名が印刷される印刷対象物の宛名面と、可能領域画像とが合成された記載用原稿を出力するための画像情報を作成することが可能である。このため、印刷対象物の宛名面にイラスト等が記されている場合に、そのイラストが、印刷対象物の宛名面に記されている位置と同じ位置に、記載用原稿に印刷される。これにより、ユーザは、記載用原稿に、印刷対象物の宛名面に宛名を記載する感覚と同じ感覚で、宛名を記載することが可能となる。
【００１６】
また、本明細書の実施形態として記載の情報処理装置では、作成された画像情報に基づいて印刷された記載用原稿であって、印刷対象物の宛名面に印刷予定の宛名が記載された記載用原稿のスキャン情報を取得し、そのスキャン情報から、可能領域画像により示唆される領域内に記載された宛名の宛名情報を抽出することが可能である。そして、その抽出された宛名情報に基づく宛名を記載可能領域内に印刷するための画像情報を、抽出された宛名情報に基づいて作成することが可能である。これにより、記載用原稿を用いて、イラスト等の画像を避けて、適切に宛名を宛名面に印刷することが可能となる。
【図面の簡単な説明】
【００１７】
【図１】通信システム１のブロック図である。
【図２】処理選択画面７０を示す図である。
【図３】宛先標準テンプレート８２を示す図である。
【図４】ハガキの宛名面１００を示す図である。
【図５】ハガキの宛名面１００を示す図である。
【図６】イラスト対応テンプレート１５０を示す図である。
【図７】宛名情報が印刷されたハガキの宛名面１００を示す図である。
【図８】宛名情報が印刷されたハガキの宛名面１００を示す図である。
【図９】お試し印刷用紙１７０を示す図である。
【図１０】通信システム１の動作を示すシーケンス図である。
【図１１】通信システム１の動作を示すシーケンス図である。
【図１２】通信システム１の動作を示すシーケンス図である。
【図１３】通信システム１の動作を示すシーケンス図である。
【図１４】通信システム１の動作を示すシーケンス図である。
【図１５】通信システム１の動作を示すシーケンス図である。
【図１６】通信システム１の動作を示すシーケンス図である。
【図１７】通信システム１の動作を示すシーケンス図である。
【図１８】イラスト対応テンプレート１９０を示す図である。
【図１９】イラスト対応テンプレート２０６を示す図である。
【発明を実施するための形態】
【００１８】
＜実施形態＞
図１に、本願に係る実施形態として例示される通信システム１のブロック図を示す。通信システム１は、画像処理サーバ１０、ＭＦＰ（Multifunction Peripheralの略）３０、制御サーバ６０、コンテンツサーバ６２、ネットワーク６６を備える。画像処理サーバ１０は、画像処理を行うための装置である。ＭＦＰ３０は、印刷処理とスキャン処理とを行うための装置である。制御サーバ６０は、画像処理サーバ１０とＭＦＰ３０との間で、ネットワーク６６を介して、各種データの送受信を行う装置である。コンテンツサーバ６２は、画像データを記憶しており、ネットワーク６６を介して、画像データを提供する装置である。
【００１９】
画像処理サーバ１０は、ＣＰＵ（Central Processing Unitの略）１２、記憶部１４、ネットワークＩ／Ｆ１６を主に備えている。これらの構成要素は、入出力ポート１８を介して互いに通信可能とされている。
【００２０】
ＣＰＵ１２は、記憶部１４内のプログラム２２に従って処理を実行する。以降、制御プログラム２２ａやオペレーティングシステム２２ｂなど、プログラムを実行するＣＰＵ１２のことを、単にプログラム名でも記載する場合がある。例えば、「制御プログラム２２ａが」という記載は、「制御プログラム２２ａを実行するＣＰＵ１２が」ということを意味する場合がある。なお、記憶部１４は、ＲＡＭ（Random Access Memoryの略）、ＲＯＭ（Read Only Memoryの略）、フラッシュメモリー、ＨＤＤ（ハードディスクの略）、ＣＰＵ１２が備えるバッファなどが組み合わされて構成されている。
【００２１】
記憶部１４は、プログラム２２を記憶する。プログラム２２は、制御プログラム２２ａ、オペレーティングシステム２２ｂ（ＯＳ２２ｂと略して記載する場合もある）を含む。制御プログラム２２ａは、画像データの解析、作成等を行うためのプログラムである。記憶部１４は、コンピュータが読み取り可能なストレージ媒体であってよい。コンピュータが読み取り可能なストレージ媒体とは、コンピュータが読み取り可能な媒体の一種である。コンピュータが読み取り可能なストレージ媒体とは、ＲＯＭ、ＲＡＭ、フラッシュメモリー、ハードディスクなどである。ＲＯＭ、ＲＡＭ、フラッシュメモリー、ハードディスクなどは、non-transitoryな媒体である。ＲＯＭ、ＲＡＭ、フラッシュメモリー、ハードディスクなどは、tangibleな媒体である。インターネット上のサーバなどからダウンロードされるプログラムを搬送する電気信号は、コンピュータが読み取り可能な媒体の一種である、コンピュータが読み取り可能な信号媒体であるが、コンピュータが読み取り可能なストレージ媒体ではない。
【００２２】
オペレーティングシステム２２ｂは、制御プログラム２２ａに利用される基本的な機能を提供するプログラムである。ＯＳ２２ｂは、記憶部１４などを制御するプログラムなどを含む。
【００２３】
また、記憶部１４は、データ記憶領域２０を備える。データ記憶領域２０は各種データ等を記憶する領域である。制御プログラム２２ａは、ＯＳ２２ｂを介して、各種データ等をデータ記憶領域２０に記憶させるためのデータを出力することで、各種データをデータ記憶領域２０に記憶させる。若しくは、制御プログラム２２ａは、ＯＳ２２ｂを介して、データ記憶領域２０が記憶している各種データ等を取得する。
【００２４】
ネットワークＩ／Ｆ１６は、ネットワーク６６を介して外部装置と通信するものであり、ネットワーク６６を介して、ＭＦＰ３０、制御サーバ６０、コンテンツサーバ６２に接続される。これにより、画像処理サーバ１０は、ＭＦＰ３０、制御サーバ６０、コンテンツサーバ６２と各種データの送受信を行うことが可能である。
【００２５】
また、ＭＦＰ３０は、ＣＰＵ３２、記憶部３４、パネル３６、ボタン入力部３８、プリンタ４０、スキャナ４２、ネットワークＩ／Ｆ４４を主に備えている。これらの構成要素は、入出力ポート５０を介して互いに通信可能とされている。
【００２６】
ＣＰＵ３２は、記憶部３４内のプログラム４８に従って処理を実行する。記憶部３４は、プログラム４８を記憶する。プログラム４８は、制御プログラム４８ａ、オペレーティングシステム４８ｂ（ＯＳ４８ｂと略して記載する場合もある）を含む。制御プログラム４８ａは、通信システム１を用いてハガキの宛名の印刷を行うためのプログラムである。
【００２７】
オペレーティングシステム４８ｂは、制御プログラム４８ａに利用される基本的な機能を提供するプログラムである。ＯＳ４８ｂは、記憶部３４，パネル３６，ボタン入力部３８などを制御するプログラムなどを含む。また、記憶部３４は、データ記憶領域４６を備える。
【００２８】
ネットワークＩ／Ｆ４４は、ネットワーク６６を介して外部装置と通信するものであり、ネットワーク６６を介して、画像処理サーバ１０、制御サーバ６０、コンテンツサーバ６２に接続される。これにより、ＭＦＰ３０は、画像処理サーバ１０、制御サーバ６０、コンテンツサーバ６２と各種データの送受信を行うことが可能である。
【００２９】
パネル３６は、ＭＦＰ３０の各種機能を表示する表示面を備える。ボタン入力部３８は、タッチセンサを有し、パネル３６と一体的に構成されており、入力媒体のパネル３６への接近・接触を検出し、ユーザによるボタン操作を受け付ける。プリンタ４０は、印刷を実行する部位である。スキャナ４２は、ＡＤＦ（Auto Document Feederの略）（図示省略）若しくは、フラットベッド（図示省略）等の原稿台にセットされた原稿等をスキャンする部位である。
【００３０】
ここで、「データ」および「情報」の文言の定義を説明する。本明細書では、「データ」と「情報」では「情報」を「データ」の上位概念として用いている。そのため、「Ａデータ」を「Ａ情報」と言い換えてもよい。また、「情報」は、「データ」としての形式（例えば、テキスト形式、バイナリ形式、フラグ形式等）が異なっていても、同一の意味内容と認識される限り、同一の情報として取り扱われる。例えば、印刷部数が２部であることを示す情報として装置が扱う限り、"COPY=2"というテキスト形式のデータと、"10"というバイナリ形式のデータとは、同じ情報である。但し、上記の「データ」及び「情報」の区別は厳密なものではなく、例外的な取り扱いも許容される。
【００３１】
＜通信システムを利用したハガキの宛名印刷＞
通信システム１では、宛先と差出元との少なくとも一方（以下、「宛名」と記載する場合がある）が記載された定型の原稿（以下、「テンプレート」と記載する場合がある）が、ＭＦＰ３０のスキャナ４２によってスキャンされ、そのスキャンにより生成されたスキャンデータに基づいて、ハガキの宛名面に宛名が印刷される。以下に、通信システム１を利用したハガキの宛名面の印刷処理について、詳しく説明する。
【００３２】
通信システム１を利用したハガキの宛名面の印刷処理が行われる際には、ＭＦＰ３０のパネル３６に、図２に示すように、処理選択画面７０が表示される。処理選択画面７０には、４つの処理選択ボタン７２，７４，７６，７８と、決定ボタン８０とが表示される。処理選択ボタン７２は、標準テンプレートを印刷するためのボタンであり、処理選択ボタン７４は、イラスト対応テンプレートを印刷するためのボタンである。宛名が記載されるテンプレートには、標準テンプレートと、ハガキの宛名面のイラスト等に応じて作成されるイラスト対応テンプレートがあり、処理選択ボタン７２若しくは、処理選択ボタン７４の操作により印刷されたテンプレートに宛名が記載される。また、処理選択ボタン７６は、ハガキのレイアウトに応じた印刷処理を行うためのボタンである。ハガキのレイアウトに応じた印刷処理では、宛名が記載されたテンプレートのスキャンデータが、ハガキの宛名面のレイアウトに応じて変換され、ハガキの宛名面に印刷される。また、処理選択ボタン７８は、宛名の印刷位置の変更等の修正処理を行うためのボタンである。通信システム１では、ユーザが、ハガキの宛名面への宛名の印刷位置等を好まない場合には、宛名の印刷位置等を変更して、再度、印刷処理を行うことが可能となっている。
【００３３】
＜標準テンプレートの印刷＞
処理選択画面７０で処理選択ボタン７２が操作された後に、決定ボタン８０が操作されると、ＭＦＰ３０のパネル３６にテンプレート選択画面（図示省略）が表示される。標準テンプレートには、宛先に関する情報を記載するための宛先標準テンプレートと、差出元に関する情報を記載するための差出元標準テンプレートとがあり、テンプレート選択画面には、宛先標準テンプレートを選択するためのボタンと差出元標準テンプレートを選択するためのボタンが表示される。そして、ユーザ操作により、宛先標準テンプレートと差出元標準テンプレートとの少なくとも一方が選択される。
【００３４】
標準テンプレートの画像データは、コンテンツサーバ６２に記憶されており、ＭＦＰ３０は、選択されたテンプレートの画像データをコンテンツサーバ６２からダウンロードする。そして、ＭＦＰ３０は、ダウンロードした画像データに基づいて、標準テンプレートを印刷する。これにより、ユーザは、標準テンプレートを取得する。標準テンプレート８２は、ハガキよりも大きなサイズの画像である。標準テンプレート８２のサイズとしては、例えば、普通紙の印刷サイズとして標準的な、Ａ４サイズ、またはレターサイズが適している。図３に示す標準テンプレート８２は、宛先標準テンプレートであり、郵便番号記載欄８４と住所記載欄８６と氏名記載欄８８とが３つ記されており、３つの宛先に関する情報を記載することができる。ユーザは、各記載欄の内部に宛名を記載する。なお、差出元標準テンプレートには、郵便番号記載欄８４と住所記載欄８６と氏名記載欄８８とが１つだけ記載されている。
【００３５】
＜ハガキレイアウトに応じた宛名情報の印刷＞
通信システム１では、宛名の記載された標準テンプレートがスキャンされ、スキャンデータに基づいて、標準テンプレートに記載された宛名が、ハガキの宛名面に印刷される。この際、印刷対象のハガキが、宛名面にイラスト等の無いハガキ、つまり、一般的なハガキである場合には、予め設定されたレイアウト、つまり、一般的なハガキの宛名面のレイアウトに合わせて、スキャンデータに基づいて、印刷用の画像データを作成すればよい。しかしながら、宛名面にイラストの有るハガキが印刷対象である場合には、予め設定されたレイアウトに合わせて画像データが作成されると、宛名がイラストと重なった状態で印刷される虞がある。
【００３６】
具体的には、図４に示すように、ハガキの宛名面１００は、６つの領域１０２，１０４，１０６，１０８，１１０，１１２に区分けすることが可能であり、３つの領域１０２，１０４，１０６に宛先が印刷され、３つの領域１０８，１１０，１１２に差出元が印刷される。このため、一般的なハガキの宛名面に宛名が印刷される際には、３つの領域１０２，１０４，１０６のレイアウトに合わせて、図３の標準テンプレート８２に記載された宛名が印刷される。つまり、郵便番号記載欄８４に記載された宛名が、領域１０２内に収まり、住所記載欄８６に記載された宛名が、領域１０４内に収まり、氏名記載欄８８に記載された宛名が、領域１０６内に収まるように、印刷用の画像データが作成される。
【００３７】
しかしながら、このハガキの宛名面１００には、イラスト１１４が記されており、そのイラスト１１４は、２つの領域１０４，１０６と重なっている。このため、例えば、３つの領域１０２，１０４，１０６のレイアウトに合わせて、図３の標準テンプレート８２に記載された宛名が印刷されると、住所記載欄８６および氏名記載欄８８に記載された宛名が、イラスト１１４に重なった状態で印刷される。このようなことに鑑みて、通信システム１では、イラスト入りの宛名面のレイアウトに応じた印刷処理が行われる。
【００３８】
具体的には、ユーザは、宛名情報が記載された標準テンプレートと、印刷対象のハガキとを、ＡＤＦ等の原稿台にセットする。なお、ハガキは、宛名面がスキャンされるように、原稿台にセットされる。そして、図２の処理選択画面７０で処理選択ボタン７６が操作された後に、決定ボタン８０が操作されると、ＭＦＰ３０において、スキャン処理が実行される。スキャン処理により生成されたスキャンデータ、つまり、標準テンプレートのスキャンデータ（以下、「テンプレートスキャンデータ」と記載する場合がある）と、ハガキの宛名面のスキャンデータ（以下、「ハガキスキャンデータ」と記載する場合がある）が、画像処理サーバ１０に送信される。
【００３９】
各スキャンデータを受信した画像処理サーバ１０では、ハガキスキャンデータに基づいて、ハガキの宛名面に、予め設定された画像と異なる画像の有無が判定される。詳しくは、図４の宛名面１００を用いて説明すると、予め設定された画像として、２つの領域１０２，１０８を区画する郵便番号記載欄が設定されている。つまり、宛名を記載するための領域を示唆する画像が、予め設定されている。このため、宛名面１００のハガキスキャンデータに基づいて、予め設定された画像と異なる画像の有無が判定されると、イラスト１１４が、異なる画像として認定される。そして、異なる画像が宛名面に有ると判定されると、その異なる画像を避けて、印刷可能な領域が特定される。
【００４０】
つまり、異なる画像の記されている領域が、印刷不可能領域として特定され、一般的なハガキに合わせて設定されていた印刷可能領域から、印刷不可能な領域を除いた領域が、新たに、印刷可能領域として特定される。具体的には、例えば、宛名面１００に対して、図５に示すように、２つの印刷不可能領域１１６，１１８と、６つの印刷可能領域１２０，１２２，１２４，１２６，１２８，１３０とが特定される。
【００４１】
次に、画像処理サーバ１０では、テンプレートスキャンデータから、宛名の画像データ（以下、「宛名情報」と記載する場合がある）が抽出される。具体的には、例えば、標準テンプレート８２のスキャンデータからは、郵便番号記載欄８４と住所記載欄８６と氏名記載欄８８との内側に記載された宛名の宛名情報が抽出される。
【００４２】
そして、宛名が、上記印刷可能領域１２０，１２２，１２４，１２６，１２８，１３０内に印刷されるように、抽出された宛名情報に基づいて、ＭＦＰ３０に適した印刷用の画像データが作成される。具体的には、例えば、標準テンプレート８２の郵便番号記載欄８４に記載された宛名をハガキの印刷可能領域１２０内に印刷し、住所記載欄８６に記載された宛名をハガキの印刷可能領域１２２内に印刷し、氏名記載欄８８に記載された宛名をハガキの印刷可能領域１２４内に印刷するための印刷用の画像データが、抽出された宛名情報に基づいて作成される。
【００４３】
上述したように作成された印刷用の画像データは、画像処理サーバ１０からＭＦＰ３０に送信される。そして、ＭＦＰ３０は、受信した印刷用の画像データに基づいて、印刷処理を行う。これにより、イラスト入りの宛名面であっても、宛名をイラストに重ならせることなく、適切に印刷することが可能となる。
【００４４】
＜イラスト対応テンプレートの印刷＞
通信システム１では、上述したように、標準テンプレートを用いて、宛名面のイラストを避けて、宛名を宛名面に印刷することが可能となっている。また、通信システム１では、宛名面のイラストを考慮したテンプレート、つまり、イラスト対応テンプレートを作成することが可能であり、このテンプレートを用いることでも、宛名面のイラストを避けて、宛名を宛名面に印刷することが可能となっている。
【００４５】
具体的には、ユーザは、印刷対象のハガキを、宛名面がスキャンされるように、ＡＤＦ等の原稿台にセットする。そして、図２の処理選択画面７０で処理選択ボタン７４が操作された後に、決定ボタン８０が操作されると、ＭＦＰ３０において、スキャン処理が実行される。スキャン処理により生成されたハガキスキャンデータは、画像処理サーバ１０に送信される。
【００４６】
ハガキスキャンデータを受信した画像処理サーバ１０では、上述した処理と同様の処理が行われ、ハガキの宛名面に印刷可能な領域が特定される。さらに、ハガキスキャンデータから、イラストの画像データが抽出される。また、画像処理サーバ１０は、テンプレートを作成するためのベースとなるベーステンプレートの画像データを、コンテンツサーバ６２から取得する。ベーステンプレートには、標準テンプレートと同様に、郵便番号記載欄８４と住所記載欄８６と氏名記載欄８８とが記されている。そして、画像処理サーバ１０は、ベーステンプレートの画像データに、先に特定された宛名面への印刷可能な領域を示すデータ（以下、「領域データ」と記載する場合がある）を、郵便番号記載欄８４と住所記載欄８６と氏名記載欄８８とに重なるように、合成する。さらに、ベーステンプレートの画像データに、先に抽出されたイラストの画像データを合成する。これにより、イラスト対応テンプレートの画像データが作成される。
【００４７】
このようにして、作成されたイラスト対応テンプレート１５０は、図６に示すように、郵便番号記載欄１５１と住所記載欄１５２と氏名記載欄１５３と領域区画線１５４とイラスト１５５と印刷可能領域特定文字１５６と印刷不可能領域特定文字１５８とが記される。このイラスト対応テンプレート１５０では、郵便番号記載欄１５１の内部の全域と、住所記載欄１５２の内部の領域区画線１５４の上方の領域と、氏名記載欄１５３の内部の領域区画線１５４の上方の領域とが、宛名情報を記載可能な領域であり、それらの領域に記載された宛名情報が、ハガキの宛名面１００に印刷される。このため、住所記載欄１５２の内部の領域区画線１５４の上方の領域と、氏名記載欄１５３の内部の領域区画線１５４の上方の領域とが、宛名面１００に印刷される領域であることが、印刷可能領域特定文字１５６によって示されている。
【００４８】
一方、住所記載欄１５２の内部の領域区画線１５４の下方の領域内と、氏名記載欄１５３の内部の領域区画線１５４の下方の領域内とには、イラスト１５５が印刷されている。それらの領域は、宛名情報を記載不可能な領域であり、それらの領域に記載された宛名情報は、ハガキの宛名面１００に印刷されない。このため、住所記載欄１５２の内部の領域区画線１５４の下方の領域と、氏名記載欄１５３の内部の領域区画線１５４の下方の領域とが、宛名面１００に印刷されない領域であることが、印刷不可能領域特定文字１５８によって示されている。
【００４９】
上述したように、イラスト対応テンプレート１５０では、イラスト１５５が記されるとともに、イラスト１５５を避けて、宛名を記載するように、領域区画線１５４が記されている。さらに、印刷可能領域特定文字１５６と印刷不可能領域特定文字１５８とによって、宛名面１００に印刷される領域と、印刷されない領域とが特定されている。このため、ユーザは、郵便番号記載欄１５１の内部の全域と、住所記載欄１５２の内部の領域区画線１５４の上方の領域と、氏名記載欄１５３の内部の領域区画線１５４の上方の領域とに、宛名を記載する。
【００５０】
そして、イラスト対応テンプレート１５０を用いて宛名印刷が行われる際には、予め設定されたレイアウト、つまり、一般的なハガキの宛名面のレイアウトに合わせた画像データが作成される。詳しくは、宛名が記載されたイラスト対応テンプレート１５０が原稿台にセットされ、そのイラスト対応テンプレート１５０がスキャンされる。そして、スキャン処理により得られたテンプレートスキャンデータが、画像処理サーバ１０に送信される。次に、画像処理サーバ１０では、テンプレートスキャンデータから、宛名情報が抽出される。具体的には、テンプレートスキャンデータから、イラスト対応テンプレート１５０の郵便番号記載欄１５１の内部の全域と、住所記載欄１５２の内部の領域区画線１５４の上方の領域と、氏名記載欄１５３の内部の領域区画線１５４の上方の領域とに記載された宛名の宛名情報が抽出される。
【００５１】
そして、宛名が、一般的なハガキの宛名面に印刷されるように、抽出された宛名情報に基づいて、印刷用の画像データが作成される。イラスト対応テンプレート１５０では、上述したように、イラスト１５５を避けた位置に、宛名が記載されるため、一般的なハガキの宛名面に合わせて、印刷用の画像データを作成しても、宛名をイラスト１１４に重ならないように、宛名面１００に印刷することが可能となる。そして、作成された画像データが、ＭＦＰ３０に送信され、その画像データに基づく印刷処理が行われる。このように、通信システム１では、イラスト対応テンプレート１５０を用いることでも、イラスト入りの宛名面に対して、宛名をイラストに重ならせることなく、適切に印刷することが可能となる。
【００５２】
＜画像データの修正＞
通信システム１では、上述したように、標準テンプレート８２のテンプレートスキャンデータとハガキスキャンデータとに基づいて、若しくは、イラスト対応テンプレート１５０のテンプレートスキャンデータに基づいて、印刷用の画像データが作成され、ハガキの宛名面１００に、宛名が印刷されるが、ユーザが、ハガキの宛名面への宛名の印刷位置等を好まない場合がある。このような場合には、宛名の印刷位置等を変更して、再度、印刷処理が行われる。
【００５３】
例えば、ハガキの宛名面１００のレイアウトに合わせて印刷用の画像データを作成した場合、若しくは、イラスト対応テンプレート１５０を利用して印刷用の画像データを作成した場合には、図７に示すように、ハガキの宛名面１００には、イラスト１１４を避けた状態で、宛名が印刷される。しかしながら、図６に示す宛名面１００に記されたイラスト１１４は、明確に記されているため、宛名がイラスト１１４に重なった状態で印刷されることは、望ましくないが、宛名面に記されたイラストによっては、宛名がイラスト１１４に重なった状態で印刷されてもよい場合がある。
【００５４】
詳しくは、図８に示すように、ハガキの宛名面１６０に記されたイラスト１６２が、細い線等で記されており、明確でない場合があり、このようなイラスト１６２の上に、宛名が印刷されても、宛名を適切に確認することが可能である。このため、ユーザは、このような宛名面１６０であれば、図８に示すように、イラスト１６２に重なった状態で宛名を印刷することを望んでいる場合がある。このような場合には、宛名の印刷位置等を変更して、再度、印刷処理が行われる。
【００５５】
具体的には、図２の処理選択画面７０で処理選択ボタン７８が操作された後に、決定ボタン８０が操作されると、画像処理サーバ１０において、再度、印刷用画像データの作成が行われる。この際、先に作成した画像データの作成手法とは異なる手法に従って、画像データが作成される。例えば、先に作成した画像データの作成時には、ハガキスキャンデータから印刷可能領域１２０，１２２，１２４，１２６，１２８，１３０が設定され、その領域内に宛名が印刷されるように、画像データが作成されていた。このため、再度の画像データ作成時には、例えば、一般的なハガキに合わせて設定されていた印刷可能領域内に宛名が印刷されるように、画像データが作成される。一般的なハガキに合わせて設定されていた印刷可能領域とは、例えば、住所記載欄８６に記載された宛名の印刷可能領域については、領域１２２と領域１１６を合わせた領域であり、氏名記載欄８８に記載された宛名の印刷可能領域については、領域１２４と領域１１８を合わせた領域である。また、例えば、宛名の印刷位置が変化するように、画像データが作成される。このように、先に作成した画像データの作成手法とは異なる手法に従って、複数の印刷用の画像データが作成される。なお、再度の画像データ作成時には、印刷用の画像データだけでなく、サムネイル画像の画像データ（以下、「サムネイルデータ」と記載する場合がある）も作成される。
【００５６】
複数の印刷用の画像データとサムネイルデータとが作成されると、複数のサムネイルデータが、画像処理サーバ１０からＭＦＰ３０に送信される。ＭＦＰ３０は、複数のサムネイルデータを受信すると、複数のサムネイル画像を含む修正候補画面をパネル３６に表示する。そして、修正候補画面から任意のサムネイル画像が、ユーザ操作により選択されると、ＭＦＰ３０は、選択されたサムネイル画像に応じた印刷用の画像データを、画像処理サーバ１０からダウンロードし、その画像データに基づく印刷処理を行う。これにより、ハガキの宛名面に対して、ユーザの好みの位置に、宛名を印刷することが可能となる。
【００５７】
なお、上記説明において、画像処理サーバ１０で作成された画像データに基づく印刷処理は、ハガキに印刷されているが、ハガキではなく、図９に示すお試し印刷用紙１７０に印刷処理を行うことが可能である。お試し印刷用紙は、普通紙が適している。また、そのサイズはハガキより大きく、普通紙印刷で標準的な、Ａ４またはレターサイズが適している。詳しくは、お試し印刷用紙１７０には、ハガキの見本１７２が記されており、その見本１７２には、切手の見本１７４、郵便番号記載欄１７６、年賀状抽選番号の見本１７８等が記されている。そして、このハガキの見本１７２に、印刷用の画像データに基づく画像を印刷することで、ハガキに印刷される宛名の配置等を確認することが可能となる。これにより、宛名の印刷位置等をユーザが好まない場合であっても、ハガキを無駄にすることが無くなる。なお、お試し印刷用紙１７０には、この用紙のＡＤＦ等へのセット方法の注意書き１８０が記されており、ユーザは、適切に、お試し印刷用紙１７０への印刷を行うことが可能となる。
【００５８】
＜通信システムでのデータ等の送受信＞
通信システム１では、上述したように、テンプレートの印刷処理、ハガキの宛名面への宛名の印刷処理等が行われる際に、画像処理サーバ１０とＭＦＰ３０と制御サーバ６０とコンテンツサーバ６２との間で、各種データ等の送受信が行われる。以下に、通信システム１における各種データの送受信について、図１０ないし図１７に示すシーケンス図を用いて、説明する。
【００５９】
なお、各装置の間で送受信される情報を、各シーケンス図では矢印で表している。また、各シーケンス図、およびその説明では、「情報」を省略した記載とする場合がある。例えば、「テンプレートコンテンツデータ要求情報」を省略し「テンプレート要求」と記載する場合がある。
【００６０】
通信システム１では、まず、ＭＦＰ３０において、通信システム１を用いた印刷処理を行うためのボタン（図示省略）が操作されると（Ｍ１００）、ＭＦＰ３０は、制御サーバ６０に、操作通知を送信する（Ｍ１０２）。制御サーバ６０は、操作通知を受信すると、図２の処理選択画面７０の表示用の画像データを作成し（Ｍ１０４）、その画像データをＭＦＰ３０に送信する（Ｍ１０６）。ＭＦＰ３０は、画像データを受信すると、処理選択画面７０をパネル３６に表示する（Ｍ１０８）。そして、ＭＦＰ３０において、処理選択ボタン７２，７４，７６，７８のうちの任意のボタンが選択され（Ｍ１１０）、選択されたボタンを特定するための選択情報が、制御サーバ６０に送信される（Ｍ１１２）。
【００６１】
選択されたボタンを特定するための選択情報を受信した制御サーバ６０では、選択されたボタンに応じた処理が行われる（Ｍ１１４）。まず、処理選択ボタン７２が選択されている場合、つまり、標準テンプレートの印刷処理が選択されている場合には、図１１に示すように、制御サーバ６０は、宛先標準テンプレートと差出元標準テンプレートとの少なくとも一方を選択するためのテンプレート選択画面の表示用の画像データを作成し（Ｍ１１６）、その画像データをＭＦＰ３０に送信する（Ｍ１１８）。ＭＦＰ３０は、画像データを受信すると、テンプレート選択画面をパネル３６に表示する（Ｍ１２０）。そして、ＭＦＰ３０において、宛先標準テンプレートと差出元標準テンプレートとの少なくとも一方が選択され（Ｍ１２２）、選択されたテンプレートを特定するための選択情報が、制御サーバ６０に送信される（Ｍ１２４）。
【００６２】
制御サーバ６０は、選択情報を受信すると、選択されたテンプレートの画像データをダウンロードするための情報（以下、「ダウンロード情報」と記載する場合がある）の送信要求を、コンテンツサーバ６２に送信する（Ｍ１２６）。コンテンツサーバ６２には、上述したように、標準テンプレートの画像データが記憶されており、標準テンプレートの画像データをダウンロードするためのＵＲＬ（Uniform Resource Locatorの略）および、ダウンロード時に用いられる識別ＩＤとによって、ダウンロード情報は構成されている。
【００６３】
コンテンツサーバ６２は、ダウンロード情報の送信要求を受信すると、ダウンロード情報を制御サーバ６０に送信する（Ｍ１２８）。制御サーバ６０は、ダウンロード情報を受信すると、そのダウンロード情報をＭＦＰ３０に送信する（Ｍ１３０）。ＭＦＰ３０は、ダウンロード情報を受信すると、そのダウンロード情報を用いて、コンテンツサーバ６２にアクセスし、標準テンプレートの画像データの送信要求を、コンテンツサーバ６２に送信する（Ｍ１３２）。コンテンツサーバ６２は、画像データの送信要求を受信すると、標準テンプレートの画像データをＭＦＰ３０に送信する（Ｍ１３４）。そして、ＭＦＰ３０は、受信した画像データに基づく画像の印刷処理を実行し、標準テンプレート８２を印刷する（Ｍ１３６）。これにより、標準テンプレート８２の印刷処理が完了する。
【００６４】
また、処理選択画面７０で処理選択ボタン７４若しくは、処理選択ボタン７６が選択されている場合、つまり、Ｍ１１４でハガキをスキャンした印刷処理、若しくは、イラスト入りテンプレート印刷処理が選択されている場合には、図１２に示すように、制御サーバ６０は、スキャン指示をＭＦＰ３０に送信する（Ｍ１４０）。そして、ＭＦＰ３０は、スキャン指示に従って、スキャン処理を行う（Ｍ１４２）。なお、ハガキをスキャンした印刷処理が選択されている場合には、宛名情報が記載された標準テンプレートおよびハガキ、若しくは、イラスト対応テンプレートおよびハガキが、ＭＦＰ３０のＡＤＦ等の原稿台に載置されている。イラスト入りテンプレート印刷処理が選択されている場合には、ハガキが、ＭＦＰ３０のＡＤＦ等の原稿台に載置されている。
【００６５】
次に、ＭＦＰ３０は、スキャンデータを画像処理サーバ１０にアップロードするための情報（以下、「アップロード情報」と記載する場合がある）の送信要求を、制御サーバ６０に送信する（Ｍ１４４）。制御サーバ６０は、アップロード情報を受信すると、アップロード用の識別ＩＤ（以下、「アップロードＩＤ」と記載する場合がある）の送信要求を、画像処理サーバ１０に送信する（Ｍ１４６）。画像処理サーバ１０は、アップロード送信要求の返信として、アップロードＩＤを制御サーバ６０に送信する（Ｍ１４８）。
【００６６】
制御サーバ６０は、アップロードＩＤを受信すると、アップロード用テンプレートを作成する（Ｍ１５０）。アップロード用テンプレートとは、画像処理サーバ１０にスキャンデータを送信するためのテンプレートであり、画像処理サーバ１０の仕様に応じて設定されている。そして、制御サーバ６０は、画像処理サーバ１０へのアップロード用のＵＲＬとアップロード用テンプレートとアップロードＩＤとを含むアップロード情報を、ＭＦＰ３０に送信する（Ｍ１５２）。
【００６７】
ＭＦＰ３０は、アップロード情報を受信すると、アップロード用のテンプレートにスキャンデータを書き込むことで、アップロード情報を作成する（Ｍ１５４）。そして、ＭＦＰ３０は、アップロード用のＵＲＬとアップロードＩＤとを用いて、アップロード情報を画像処理サーバ１０に送信する（Ｍ１５６）。画像処理サーバ１０は、アップロード情報を受信すると、アップロード情報の返信として、アップロード結果をＭＦＰ３０に送信する（Ｍ１５８）。アップロードに問題がなかった場合、アップロード結果は、適切にアップロードが完了したことを示すものである。
【００６８】
ＭＦＰ３０は、アップロード結果を受信すると、そのアップロード結果を制御サーバ６０に送信する（Ｍ１６０）。これは、ＭＦＰ３０は、アップロード結果を解析できないためである。制御サーバ６０は、アップロード結果を受信すると、そのアップロード結果を解析する（Ｍ１６２）。そして、制御サーバ６０は、解析結果をＭＦＰ３０に送信する（Ｍ１６４）。エラー発生により、アップロードを中止すべき解析結果が出た場合、ＭＦＰ３０は、エラー発生を示す画面を表示し、全てのアップロード情報を送信することなくアップロードを終了する。アップロードを続行すべき解析結果が出た場合、ＭＦＰ３０は残りのアップロード情報を送信する。アップロードを中止すべき解析結果が出ることなく、全てのアップロード情報を送信したことにより、ＭＦＰ３０において、適切にアップロードが完了したことが認知される。
【００６９】
次に、ＭＦＰ３０において、全てのアップロード情報が画像処理サーバ１０に送信されたか否かが判定される（Ｍ１６６）。全てのアップロード情報が送信されていない場合（Ｍ１６６のＮＯ）には、Ｍ１４４に戻る。一方、全てのアップロード情報が送信されている場合（Ｍ１６６のＹＥＳ）には、ＭＦＰ３０は、アップロード完了の通知を制御サーバ６０に送信する（Ｍ１６８）。これにより、ハガキをスキャンした印刷処理が選択されている場合には、ハガキスキャンデータおよび標準テンプレートのテンプレートスキャンデータ、若しくは、ハガキスキャンデータおよびイラスト対応テンプレートのテンプレートスキャンデータの画像処理サーバ１０への送信が完了する。イラスト入りテンプレート印刷処理が選択されている場合には、ハガキスキャンデータの画像処理サーバ１０への送信が完了する。
【００７０】
次に、制御サーバ６０は、現在実行中の処理がイラスト対応テンプレート印刷処理であるか否かを判定する（Ｍ１６９）。そして、現在実行中の処理がイラスト対応テンプレート印刷処理でない場合（Ｍ１６９のＮＯ）には、制御サーバ６０は、スキャンデータをハガキ印刷用の印刷用画像データに変換する旨の指示を、画像処理サーバ１０に送信する（Ｍ１７０）。画像処理サーバ１０は、変換指示を受信すると、変換指示の返信として、変換ＩＤを送信する（Ｍ１７２）。変換ＩＤは、変換後の印刷用画像データを特定するための識別ＩＤである。
【００７１】
画像処理サーバ１０は、変換ＩＤを送信した後に、＜ハガキレイアウトに応じた宛名情報の印刷＞に記載したように、ハガキスキャンデータから印刷可能領域１２０，１２２，１２４，１２６，１２８，１３０を特定する（Ｍ１７４）。次に、画像処理サーバ１０は、標準テンプレートのテンプレートスキャンデータ、若しくは、イラスト対応テンプレートのテンプレートスキャンデータから宛名情報を抽出する（Ｍ１７６）。具体的には、例えば、宛先標準テンプレート８２のテンプレートスキャンデータから、郵便番号記載欄８４と住所記載欄８６と氏名記載欄８８との内部の画像データを抽出する。
【００７２】
そして、画像処理サーバ１０は、宛名情報が、印刷可能領域１２０，１２２，１２４，１２６，１２８，１３０内に印刷されるように、抽出された宛名情報の画像データに基づいて、印刷用の画像データを作成する（Ｍ１７８）。具体的には、例えば、宛先標準テンプレート８２の郵便番号記載欄８４に記載された宛名情報が、印刷可能領域１２０内に印刷され、住所記載欄８６に記載された宛名情報が、印刷可能領域１２２内に印刷され、氏名記載欄８８に記載された宛名情報が、印刷可能領域１２４内に印刷されるように、抽出された宛名情報の画像データが変換され、印刷用の画像データが作成される。
【００７３】
また、制御サーバ６０は、インデックスｉを１カウントアップする（Ｍ１８０）。インデックスｉは、画像処理サーバ１０で変換された印刷用画像データ毎に付されている符号である。そして、制御サーバ６０は、インデックスｉに対応する印刷用画像データのデータ処理が完了したか否かの確認情報を、画像処理サーバ１０に送信する（Ｍ１８２）。画像処理サーバ１０は、確認情報を受信すると、インデックスｉに対応する印刷用画像データのデータ処理が完了したか否かを判定する（Ｍ１８４）。印刷用画像データのデータ処理が完了していない場合（Ｍ１８４のＮＯ）には、画像処理サーバ１０は、データ処理未完了の通知を制御サーバ６０に送信する（Ｍ１８６）。制御サーバ６０は、データ処理未完了の通知を受信すると、ＭＦＰ３０に待機指示を送信する（Ｍ１８８）。ＭＦＰ３０は、待機指示の受信により、所定時間、待機処理を実行する（Ｍ１９０）。続いて、ＭＦＰ３０は、待機処理完了通知を制御サーバ６０に送信する（Ｍ１９２）。そして、Ｍ１８２に戻る。
【００７４】
一方、Ｍ１８４でインデックスｉに対応する印刷用画像データのデータ処理が完了している場合（Ｍ１８４のＹＥＳ）には、画像処理サーバ１０は、インデックスｉに対応する印刷用画像データが存在するか否かを判定する（Ｍ１９４）。インデックスｉに対応する印刷用画像データが存在する場合（Ｍ１９４のＹＥＳ）には、画像処理サーバ１０は、インデックスｉに対応する印刷用画像データのデータ処理完了の通知を制御サーバ６０に送信する（Ｍ１９６）。そして、Ｍ１８０に戻る。
【００７５】
一方、Ｍ１９４でインデックスｉに対応する印刷用画像データが存在しない場合（Ｍ１９４のＮＯ）には、画像処理サーバ１０は、インデックスｉに対応する印刷用画像データが存在しない旨の通知を、制御サーバ６０に送信する（Ｍ１９８）。つまり、画像処理サーバ１０に送信された全てのスキャンデータの印刷用画像データへの変換処理が、完了した場合に、インデックスｉに対応する印刷用画像データが、画像処理サーバ１０に無くなるため、制御サーバ６０は、インデックスｉに対応する印刷用画像データが存在しない旨の通知を受信することで、画像処理サーバ１０での全スキャンデータの変換処理が完了したことを認知する。 
【００７６】
制御サーバ６０は、インデックスｉに対応する印刷用画像データが存在しない旨の通知を受信すると、現在実行中の処理が修正処理であるか否かを判定する（Ｍ２００）。そして、現在実行中の処理が修正処理でない場合（Ｍ２００のＮＯ）には、制御サーバ６０は、印刷指示をＭＦＰ３０に送信する（Ｍ２０２）。この際、制御サーバ６０は、印刷指示とともに、印刷用画像データの数を、ＭＦＰ３０に送信する。ＭＦＰ３０は、印刷指示を受信すると、ダウンロード情報の送信要求を、制御サーバ６０に送信する（Ｍ２０４）。そして、制御サーバ６０は、印刷用画像データを画像処理サーバ１０からダウンロードするためのダウンロードＵＲＬと、変換ＩＤとを含むダウンロード情報を、ＭＦＰ３０に送信する（Ｍ２０６）。
【００７７】
ＭＦＰ３０は、ダウンロード情報を受信すると、ダウンロードＵＲＬと変換ＩＤとを用いて、印刷用画像データの送信要求を、画像処理サーバ１０に送信する（Ｍ２０８）。画像処理サーバ１０は、送信要求を受信すると、印刷用画像データをＭＦＰ３０に送信する（Ｍ２１０）。そして、ＭＦＰ３０は、受信した印刷用画像データに基づく印刷処理を実行する（Ｍ２１２）。
【００７８】
続いて、ＭＦＰ３０は、全ての印刷用画像データを画像処理サーバ１０からダウンロードしたか否かを判定する（Ｍ２１４）。つまり、Ｍ２０２で送信された印刷用画像データの数と同じ回数、Ｍ２０４〜Ｍ２１２の処理が行われたか否かを判定する。そして、全ての印刷用画像データを画像処理サーバ１０からダウンロードしていない場合（Ｍ２１４のＮＯ）には、Ｍ２０４に戻る。一方、全ての印刷用画像データを画像処理サーバ１０からダウンロードしている場合（Ｍ２１４のＹＥＳ）には、ＭＦＰ３０は、印刷完了画面をパネル３６に表示する（Ｍ２１６）。
【００７９】
なお、制御サーバ６０は、Ｍ２０２においてＭＦＰ３０に印刷指示を送信した後、印刷指示の対象となった画像データの変換ＩＤを、所定の期間の間は記憶している。画像処理サーバ１０は、画像データを作成する都度、作成した画像データと、その印刷用画像データの作成に用いたハガキスキャンデータと、テンプレートスキャンデータと、を画像データの変換ＩＤと対応付けて、コンテンツサーバ６２に送信し、記憶させている。また、画像処理サーバ１０は、作成した画像データのサムネイルデータも作成し、画像データの変換ＩＤと対応付けて、コンテンツサーバ６２に送信し、記憶させている。コンテンツサーバ６２は、画像処理サーバ１０から受信したデータを、制御サーバ６０が変換ＩＤを記憶しておく期間以上の期間の間は記憶している。所定の期間としては、例えば１日でもよい。
【００８０】
また、処理選択画面７０で処理選択ボタン７８が選択されている場合、つまり、Ｍ１１４で修正処理が選択されている場合には、図１６に示すように、ハガキ印刷用の印刷用画像データを修正するのか選択するための修正選択画面の表示用の画像データを作成する。表示用の画像データは、変換ＩＤに基づいた、コンテンツサーバ６２に記憶されたサムネイルデータを要求するための情報を含んでいる。そして、制御サーバ６０は、その画像データをＭＦＰ３０に送信する（Ｍ２１８）。ＭＦＰ３０は、画像データを受信すると、コンテンツサーバ６２にサムネイルデータを要求し、返信されたサムネイルデータを受信する。そして、サムネイルデータに基づいて作成されたサムネイル画像を含む修正選択画面をパネル３６に表示する。サムネイル画像は、ユーザが操作可能なボタン画像を兼ねている。そして、ＭＦＰ３０において、サムネイル画像が選択され、選択されたサムネイル画像を特定するための選択情報が、制御サーバ６０に送信される（Ｍ２２０）。制御サーバ６０は、選択情報を受信すると、選択情報に対応する変換ＩＤを特定し、修正した画像データを作成する旨の指示を、特定した変換ＩＤと対応付けて、画像処理サーバ１０に送信する（Ｍ２２２）。画像処理サーバ１０は、作成指示を受信すると、特定ＩＤを送信する（Ｍ２２４）。特定ＩＤは、作成された画像データを特定するための識別ＩＤである。
【００８１】
画像処理サーバ１０は、特定ＩＤを送信した後に、受信した変換ＩＤに対応する、ハガキ印刷用の印刷用画像データと、その印刷用画像データの作成に用いたハガキスキャンデータと、テンプレートスキャンデータと、をコンテンツサーバ６２に要求し、返信された各データを受信する。そして、ハガキスキャンデータから印刷可能領域１２０，１２２，１２４，１２６，１２８，１３０を特定する（Ｍ２２６）。次に、画像処理サーバ１０は、テンプレートスキャンデータから宛名情報を抽出する（Ｍ１７６）。続いて、画像処理サーバ１０は、＜画像データの修正＞に記載したように、先に作成した印刷用画像データの作成手法とは異なる手法に従って、画像データを作成する（Ｍ２３０）。この際、画像処理サーバ１０は、複数のハガキ印刷用の画像データと、それら複数のハガキ印刷用の画像データに対応する複数のサムネイルデータを作成する。そして、通信システム１では、Ｍ１８０以降の処理が行われる。
【００８２】
また、Ｍ２００で現在実行中の処理が修正処理である場合（Ｍ２００のＹＥＳ）には、画像処理サーバ１０は、＜画像データの修正＞で記載した修正候補表示画面の画像データを作成し（Ｍ２３２）、その画像データをＭＦＰ３０に送信する（Ｍ２３４）。画像データには、複数のサムネイルデータそれぞれを要求するための情報が含まれており、ＭＦＰ３０は、修正候補表示画面の画像データを受信すると、その情報を用いて、サムネイルデータの送信要求を画像処理サーバ１０に送信する（Ｍ２３６）。画像処理サーバ１０は、送信要求を受信すると、Ｍ２３０で作成した複数のサムネイルデータをＭＦＰ３０に送信する（Ｍ２３８）。
【００８３】
ＭＦＰ３０は、複数のサムネイルデータを受信すると、それら複数のサムネイルデータに基づいて作成した複数のサムネイル画像を含む、修正候補表示画面をパネル３６に表示する（Ｍ２４０）。複数のサムネイル画像はそれぞれ、ユーザが操作可能なボタンを兼ねている。次に、ＭＦＰ３０では、修正候補表示画面に表示された複数のサムネイル画像から任意のサムネイル画像が、ユーザ操作により選択される（Ｍ２４２）。ＭＦＰ３０は、任意のサムネイル画像が選択されると、選択されたサムネイル画像を特定するための選択情報を制御サーバ６０に送信する（Ｍ２４４）。そして、通信システム１では、Ｍ２０２以降の処理が行われる。なお、Ｍ２０４では、ＭＦＰ３０は、ダウンロード情報の送信要求を、制御サーバ６０に送信するが、そのダウンロード情報は、Ｍ２４４の選択情報により特定されるサムネイル画像に対応するハガキ印刷用の画像データを画像処理サーバ１０からダウンロードするための情報である。
【００８４】
また、Ｍ１６９で現在実行中の処理がイラスト対応テンプレート印刷処理である場合（Ｍ１６９のＹＥＳ）には、制御サーバ６０は、ハガキスキャンデータを印刷用画像データに変換する旨の指示を、画像処理サーバ１０に送信する（Ｍ２５０）。画像処理サーバ１０は、変換指示を受信すると、変換指示の返信として、変換ＩＤを送信する（Ｍ２５２）。変換ＩＤは、変換後の印刷用画像データを特定するための識別ＩＤである。
【００８５】
画像処理サーバ１０は、変換ＩＤを送信した後に、＜イラスト対応テンプレートの印刷＞に記載したように、ベーステンプレートの送信要求を、コンテンツサーバ６２に送信する（Ｍ２５４）。コンテンツサーバ６２は、送信要求を受信すると、ベーステンプレートの画像データを画像処理サーバ１０に送信する（Ｍ２５６）。画像処理サーバ１０は、画像データを受信すると、ハガキスキャンデータから印刷可能領域１２０，１２２，１２４，１２６，１２８，１３０を特定する（Ｍ２５８）。続いて、画像処理サーバ１０は、ベーステンプレートの画像データと、特定された印刷可能領域１２０，１２２，１２４，１２６，１２８，１３０とに基づいて、イラスト対応テンプレート１５０の印刷用の画像データを作成する（Ｍ２６０）。そして、通信システム１では、Ｍ１８０以降の処理が行われる。
【００８６】
＜変形例＞
【００８７】
本実施形態では、イラスト対応テンプレート１５０にイラスト１５５が記されているが、イラスト１５５の記されていないイラスト対応テンプレートを作成することが可能である。つまり、画像処理サーバ１０でイラスト対応テンプレートの画像データが作成される際に、画像処理サーバ１０は、イラスト１５５が記されないイラスト対応テンプレートの画像データを作成することが可能である。これにより、図１８に示すように、郵便番号記載欄１５１と住所記載欄１５２と氏名記載欄１５３と領域区画線１５４と印刷可能領域特定文字１５６と印刷不可能領域特定文字１５８とが記されたイラスト対応テンプレート１９０が作成される。
【００８８】
また、印刷可能な領域のみを示すイラスト対応テンプレートを作成することが可能である。具体的には、例えば、図５のハガキの宛名面１００で特定された印刷可能領域１２０，１２２，１２４が、イラスト対応テンプレートに印刷されるように、印刷用の画像データを作成することが可能である。これにより、図１９に示すように、郵便番号記載欄２００と住所記載欄２０２と氏名記載欄２０４とが記されたイラスト対応テンプレート２０６が作成される。このようにして作成されたイラスト対応テンプレート１９０，２０６においても、実施形態のイラスト対応テンプレート１５０と同様の効果を得ることが可能である。
【００８９】
また、本実施形態では、図６に、１つの宛名を記載可能なイラスト対応テンプレート１５０を例示したが、イラスト対応テンプレートに、郵便番号記載欄１５１と住所記載欄１５２と氏名記載欄１５３とが、図３のように、３つ記されてもよい。この場合、印刷可能領域特定文字１５６と印刷不可能領域特定文字１５８とは縦書きにされてもよいし、記載されなくてもよい。また、印刷可能領域と印刷不可能領域を説明する文字列が、郵便番号記載欄１５１などの空きスペースに記載されてもよい。
【００９０】
また、本実施形態では、制御サーバ６０が、Ｍ２２２において、修正した画像データを作成する旨の指示を、特定した変換ＩＤと対応付けて、画像処理サーバ１０に送信するが、変換ＩＤに代えて、アップロードＩＤを用いてもよい。この場合、制御サーバ６０が、Ｍ１５２においてＭＦＰ３０にアップロード情報を送信した後、アップロード情報に含まれるアップロードＩＤを所定の期間の間、記憶してもよい。また、画像処理サーバ１０は、受信したハガキスキャンデータ、テンプレートスキャンデータなどを、アップロードＩＤと関連付けて、所定の期間以上の間、記憶してもよい。そして、制御サーバ６０は、Ｍ２２０で送信された選択情報を受信すると、選択情報に対応するアップロードＩＤを特定し、修正した画像データを作成する旨の指示を、特定したアップロードＩＤと対応付けて、画像処理サーバ１０に送信してもよい。また、画像処理サーバ１０は、作成したサムネイルデータをコンテンツサーバ６２に送信することなく、所定の期間以上の間、記憶していてもよい。この場合、ＭＦＰ３０は、コンテンツサーバ６２ではなく、画像処理サーバ１０にサムネイルデータを要求してもよい。
【００９１】
また、本実施形態では、修正指示によりサムネイル画像が作成されているが、サンプルの印刷用画像データを作成することが可能である。つまり、ユーザは、パネルに表示された画像を用いて、宛名の印刷位置等を確認するのではなく、お試し印刷用紙１７０等に宛名を印刷し、宛名の印刷位置等を確認することが可能である。
【００９２】
また、本実施形態では、ハガキをスキャンした印刷処理が選択されている場合には、画像処理サーバ１０がハガキ印刷用の画像データを作成し、ＭＦＰ３０がその画像データを受信してハガキに印刷しているが、画像処理サーバ１０が、お試し印刷用の画像データと、ハガキ印刷用の画像データと、を作成してもよい。この場合、ＭＦＰ３０が、Ｍ２１０においてお試し印刷用の画像データを受信し、Ｍ２１２において、お試し印刷用紙に、お試し印刷用の画像を印刷する。そして、制御サーバ６０にお試し印刷の完了を示す情報を送信する。制御サーバ６０は、ハガキ印刷ボタンと、修正ボタンを含む、ハガキ印刷選択画面を表示するための画像データを作成し、ＭＦＰ３０に送信する。画像データを受信したＭＦＰ３０は、ハガキ印刷選択画面を表示し、ユーザが選択したボタンを特定する選択情報を、制御サーバ６０に送信する。選択情報がハガキ印刷ボタンの選択を示す場合は、Ｍ２０２〜Ｍ２１６と同様に、制御サーバ６０から、ＭＦＰ３０に、ハガキ印刷用の画像データのダウンロード選択情報が送信され、ＭＦＰ３０において、ハガキ印刷用の画像データを用いたハガキ印刷が実行され、完了画面が表示される。選択情報が修正ボタンの選択を示す場合は、Ｍ２００がＹＥＳの場合と同様な処理が実行される。なお、お試し印刷用の画像データと、ハガキ印刷用の画像データとは同時に作成される必要はなく、選択情報がハガキ印刷ボタンの選択を示す場合に、制御サーバ６０からの指示に従って、画像処理サーバ１０がハガキ印刷用の画像データを作成してもよい。
【００９３】
また、本実施形態では、ＭＦＰ３０が、ダウンロード情報を利用して、画像処理サーバ１０から印刷用の画像データを取得しているが、画像処理サーバ１０が、印刷用の画像データをＭＦＰ３０に送信してもよい。
【００９４】
また、上記実施形態では、ＭＦＰ３０と画像処理サーバ１０との間のデータの送受信が、制御サーバ６０を介して行われているが、ＭＦＰ３０と画像処理サーバ１０との間でデータの送受信を行うことが可能である。つまり、制御サーバ６０における処理と、画像処理サーバ１０における処理を１つの装置で行うことが可能である。
【００９５】
また、本実施形態では、ハガキへの印刷を例示しているが、ハガキそのものへ印刷するのではなく、ハガキの宛名面に張り付ける、宛名印刷用の用紙や、ハガキの通信面に張り付ける、通信面印刷用の用紙へ印刷してもよい。
【００９６】
本実施形態の画像処理サーバ１０では、制御プログラム２２ａに基づいて実行するＣＰＵ１２が、各種の処理を行う場合を説明した。しかし、この形態に限られない。制御プログラム２２ａに基づいて実行するＣＰＵ１２が、ＯＳ２２ｂ、他のシステム、ハード構成に対して、各種の処理を行わせる指示を出す形態であってもよい。
【００９７】
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【００９８】
通信システム１は、通信システムの一例である。画像処理サーバ１０は情報処理装置の一例である。制御プログラム２２ａに従った処理を実行するＣＰＵ１２はプロセッサ、および、第２プロセッサの一例である。ＭＦＰ３０は、外部装置、および、複合装置の一例である。プログラム４８に従った処理を実行するＣＰＵ３２は第１プロセッサの一例である。印刷不可能領域１１６，１１８は記載不可能領域の一例である。印刷可能領域１２０，１２２，１２４，１２６，１２８，１３０は記載可能領域の一例である。イラスト対応テンプレート１５０，１９０，２０６は記載用原稿の一例である。郵便番号記載欄１５１と住所記載欄１５２と氏名記載欄１５３と領域区画線１５４とは可能領域画像および、不可能領域画像の一例である。住所記載欄２０２と住所記載欄２０２と氏名記載欄２０４とは、可能領域画像の一例である。ハガキスキャンデータは第１スキャン情報の一例である。テンプレートスキャンデータは第２スキャンデータの一例である。サムネイル画像はサンプル画像の一例である。サムネイルデータはサンプル画像情報の一例である。
【００９９】
Ｍ１５６を実行するＣＰＵ１２は、第１スキャン情報取得手段、第２スキャン情報取得手段、第１スキャン情報受信手段、第２スキャン情報受信手段の一例である。Ｍ１７４、Ｍ２５８を実行するＣＰＵ１２は、領域特定手段の一例である。Ｍ１７６を実行するＣＰＵ１２は、抽出手段の一例である。Ｍ１７８を実行するＣＰＵ１２は、第１画像情報作成手段の一例である。Ｍ２１０、Ｍ２６０を実行するＣＰＵ１２は、第１画像情報送信手段の一例である。Ｍ２３０を実行するＣＰＵ１２は、サンプル画像情報作成手段の一例である。Ｍ２３８を実行するＣＰＵ１２は、サンプル画像情報送信手段の一例である。Ｍ１４２を実行するＣＰＵ３２は、第１スキャン情報作成手段，第２スキャン情報作成手段の一例である。Ｍ１５６を実行するＣＰＵ３２は、第１スキャン情報送信手段，第２スキャン情報送信手段の一例である。Ｍ２１０を実行するＣＰＵ３２は、画像情報受信手段の一例である。Ｍ２１２を実行するＣＰＵ３２は、印刷処理実行手段の一例である。
【０１００】
なお、各プログラムは一つのプログラムモジュールから構成されるものであってもよいし、複数のプログラムモジュールから構成されるものであってもよい。また、各一例は置換可能な他の構成であってもよく、本発明の範疇である。プログラム（例えば、制御プログラム２２ａなど）に基づく処理を実行するコンピュータ（例えば、ＣＰＵ１２）であってもよいし、オペレーティングシステムや他のアプリケーション、プログラムなど、印刷プログラム以外のプログラムに基づく処理を実行するコンピュータであってもよいし、コンピュータの指示に従って動作するハード構成であってもよいし、コンピュータとハード構成とが連動した構成であってもよい。もちろん、複数のプログラムに基づく処理を連動させて処理を実行するコンピュータであってもよいし、複数のプログラムに基づく処理を連動させて処理を実行するコンピュータの指示に従って動作するハード構成であってもよい。
【０１０１】
さらに、本発明の範疇であるプログラムは、コンピュータが読み取り可能なストレージ媒体に記録されて提供されてもよい。コンピュータが読み取り可能なストレージ媒体は、ＣＤ−ＲＯＭ、ＤＶＤ−ＲＯＭ等の他、通信ネットワークを介して画像処理サーバ１０に接続可能なサーバ装置に搭載された記憶部を含んでもよい。そして、サーバ装置の記憶部に記憶されたプログラムは、コンピュータが読み取り可能な信号媒体によって、インターネット等の通信ネットワークを介して配信されてもよい。
【符号の説明】
【０１０２】
１：通信システム、１０：画像処理サーバ、１２：ＣＰＵ、３０：ＭＦＰ、３２  ＣＰＵ、１１６  印刷不可能領域、１１８  印刷不可能領域、１２０  印刷可能領域、１２２  印刷可能領域、１２４  印刷可能領域、１２６  印刷可能領域、１２８  印刷可能領域、１３０  印刷可能領域、１５０  イラスト対応テンプレート、１５１  郵便番号記載欄、１５２  住所記載欄、１５３  氏名記載欄、１５４  領域区画線、１９０  イラスト対応テンプレート、２００  郵便番号記載欄、２０２  住所記載欄、２０４  氏名記載欄、２０６  イラスト対応テンプレート
【図１】
2015179927.tif 000003
【図２】
2015179927.tif 000004
【図３】
2015179927.tif 000005
【図４】
2015179927.tif 000006
【図５】
2015179927.tif 000007
【図６】
2015179927.tif 000008
【図７】
2015179927.tif 000009
【図８】
2015179927.tif 000010
【図９】
2015179927.tif 000011
【図１０】
2015179927.tif 000012
【図１１】
2015179927.tif 000013
【図１２】
2015179927.tif 000014
【図１３】
2015179927.tif 000015
【図１４】
2015179927.tif 000016
【図１５】
2015179927.tif 000017
【図１６】
2015179927.tif 000018
【図１７】
2015179927.tif 000019
【図１８】
2015179927.tif 000020
【図１９】
2015179927.tif 000021